(57)【特許請求の範囲】
【請求項１】
洗濯機が載置される平面視略矩形の底部とこの底部の周縁から上方に連設された周縁部を有し、床面に配置されるとともに、前記底部の一つの角に湯水用の水道用コンセントを着脱自在に設けてあり、この水道用コンセントに設けた配管接続用の継手、または、この配管接続用の継手に接続される配管が挿通可能な穴を前記底部に有し、
更に、前記水道用コンセントは、
湯の取入口、水の取入口、混合湯水の温度を調整する部材、水または混合湯水の流路、この流路内の水または混合湯水の流量を調整するための弁体、流量調整された水または混合湯水の流出口、前記配管接続用の継手のうちの前記湯の取入口に連通する湯用継手および前記配管接続用の継手のうちの前記水の取入口に連通する水用継手を有する水栓本体と、
この水栓本体が着脱自在に収容されるための上面開口を有する有底の箱状のハウジング本体と、
前記流出口から流出可能な混合湯水の温度を調整するための温度調整ハンドルと、
温度を調整された混合湯水の流量を調整するための流量調整ハンドルと、
洗濯機の給水ホースの上流端に設けられた継手部材が着脱自在である接続部と、
前記上面開口を覆うよう前記ハウジング本体に着脱自在に装着される化粧カバーとを有するとともに、
前記ハウジング本体は、その底部に水栓本体固定用のねじ孔を有する一方、前記水栓本体は、前記水栓本体固定用のねじ孔に対応する位置にねじ挿通孔を有し、このねじ挿通孔を介して前記水栓本体固定用のねじを前記水栓本体固定用のねじ孔に螺合して水栓本体をハウジング本体の底部に固定したときは、ハウジング本体の底部の底面から前記水栓本体固定用のねじの先端部が突出した状態になるよう構成されている洗濯機用パンであって、
洗濯機が載置される底部の上面に、前記水道用コンセントを収容する枠部材を係止可能に設け、
ハウジング本体の底部の底面が当接する上面を有する架台の高さが、洗濯機が載置される底部の上面に、前記水栓本体固定用のねじの先端部の突出量よりも大きく設定された高さを有する状態で設けられていることを特徴とする洗濯機用パン。
【請求項２】
洗濯機が載置される平面視略矩形の底部とこの底部の周縁から上方に連設された周縁部を有し、床面に配置されるとともに、前記底部の一つの角に水用の水道用コンセントを着脱自在に設けてあり、この水道用コンセントに設けた配管接続用の継手、または、この配管接続用の継手に接続される配管が挿通可能な穴を前記底部に有し、
更に、前記水道用コンセントは、
水の流入口、水の流出口、水の流量を調整するための弁体および前記水流入口に連通する前記配管接続用の継手を有する水栓本体と、
この水栓本体が着脱自在に収容されるための上面開口を有する有底の箱状のハウジング本体と、
水の流量を調整するための流量調整ハンドルと、
洗濯機の給水ホースの上流端に設けられた継手部材が着脱自在である接続部と、
前記上面開口を覆うよう前記ハウジング本体に着脱自在に装着される化粧カバーとを有するとともに、
前記ハウジング本体は、その底部に水栓本体固定用のねじ孔を有する一方、前記水栓本体は、前記水栓本体固定用のねじ孔に対応する位置にねじ挿通孔を有し、このねじ挿通孔を介して前記水栓本体固定用のねじを前記水栓本体固定用のねじ孔に螺合して水栓本体をハウジング本体の底部に固定したときは、ハウジング本体の底部の底面から前記水栓本体固定用のねじの先端部が突出した状態になるよう構成されている洗濯機用パンであって、 洗濯機が載置される底部の上面に、前記水道用コンセントを収容する枠部材を係止可能に設け、
ハウジング本体の底部の底面が当接する上面を有する架台が、洗濯機が載置される底部の上面に、前記水栓本体固定用のねじの先端部の突出量よりも大きく設定された高さを有する状態で設けられていることを特徴とする洗濯機用パン。
【請求項３】
前記架台は一対設けられており、
また、前記枠部材は箱状であり、ハウジング本体の上面開口に対応する平面視形状を有する上方開口が形成された上板部分と、水道用コンセントが収容可能でハウジング本体の上面開口よりも大きな下方開口とを有するとともに、
前記枠部材を洗濯機が載置される底部の上面に係止する係止手段が、枠部材の対向する一側面部の内面にそれぞれ設けた二組の係止溝と、前記係止溝に嵌まり込む係合爪とより構成され、
さらに、前記係合爪は、洗濯機が載置される底部の一つの角における上面に、前記係止溝に係合するよう洗濯機が載置される底部と一体に設けられている一方、
ハウジング本体は、その底部に前記水栓本体固定用のねじの先端部の突出量よりも小さい突出量でハウジング本体の底部の底面から突出して設けられる凹みと、
この凹みに先端が当接した状態で設けられた長ねじが螺合するねじ孔が形成されて前記長ねじをまわすことにより上下にスライド可能で上下位置が調整可能に設けられたスライド部材とを有しており、
前記係止溝に前記係合爪を係合させることにより、前記架台を介して洗濯機が載置される底部の上面に予め設置しておいたハウジング本体を覆うように固定設置される枠部材の高さよりも低い高さに位置していたスライド部材を、前記長ねじをまわすことにより上方向に、かつ、前記上板部分の下面に当接するまで移動させることにより、このスライド部材の上板部分下面への押圧により前記長ねじの先端が前記凹みを押してハウジング本体の底部が前記架台を押圧するよう構成されている請求項１または請求項２に記載の洗濯機用パン。
【請求項４】
水道用コンセントに設けた配管接続用の継手に接続される配管が挿通可能な穴を洗濯機が載置される底部に設け、
洗濯機が載置される底部内の水または湯水が床面にリークするのを防止する額縁型のパッキンを設け、
このパッキンは、前記枠部材の下方開口を形成する下端面部分を載置できる程度の幅を有し、洗濯機が載置される底部の上面に前記下端面部分による押圧状態で載置されるよう構成され、
さらに、前記パッキンの一辺は、洗濯機が載置される底部の上面で、前記周縁部の内板部分の内面および内板部分寄りに位置する一方の前記係合爪間の隙間に位置し、また、これら係合爪に対向する他方の係合爪の外側に、前記一辺に対向する辺が位置し、また、他の辺は、内板部分寄りに位置する一方の架台および内板部分間の隙間に位置し、また、残りの辺は、前記配管が挿通可能な前記穴の外側に位置する請求項３に記載の洗濯機用パン。
【発明の詳細な説明】
【０００１】
【発明の属する技術分野】
この発明は、洗濯機を載置する洗濯機用パンに関するものである。
【０００２】
【従来の技術】
本出願人は、洗濯機が載置される平面視略矩形の底部とこの底部の周縁から上方に連設された周縁部よりなり、底部の一つの角に給水機構を有し、この給水機構から洗濯機に給水できる構成を持った洗濯機用パンを開発中である。
【０００３】
この発明は、給水および／または給湯機構のメンテナンスが容易に行える洗濯機用パンを提供することを目的とする。
【０００４】
【課題を解決するための手段】
上記目的を達成するために、この発明の洗濯機用パンは、洗濯機が載置される平面視略矩形の底部とこの底部の周縁から上方に連設された周縁部を有し、床面に配置されるとともに、前記底部の一つの角に湯水用の水道用コンセントを着脱自在に設けてあり、この水道用コンセントに設けた配管接続用の継手、または、この配管接続用の継手に接続される配管が挿通可能な穴を前記底部に有し、  更に、前記水道用コンセントは、
湯の取入口、水の取入口、混合湯水の温度を調整する部材、水または混合湯水の流路、この流路内の水または混合湯水の流量を調整するための弁体、流量調整された水または混合湯水の流出口、前記配管接続用の継手のうちの前記湯の取入口に連通する湯用継手および前記配管接続用の継手のうちの前記水の取入口に連通する水用継手を有する水栓本体と、
この水栓本体が着脱自在に収容されるための上面開口を有する有底の箱状のハウジング本体と、
前記流出口から流出可能な混合湯水の温度を調整するための温度調整ハンドルと、
温度を調整された混合湯水の流量を調整するための流量調整ハンドルと、
洗濯機の給水ホースの上流端に設けられた継手部材が着脱自在である接続部と、
前記上面開口を覆うよう前記ハウジング本体に着脱自在に装着される化粧カバーとを有するとともに、
前記ハウジング本体は、その底部に水栓本体固定用のねじ孔を有する一方、前記水栓本体は、前記水栓本体固定用のねじ孔に対応する位置にねじ挿通孔を有し、このねじ挿通孔を介して前記水栓本体固定用のねじを前記水栓本体固定用のねじ孔に螺合して水栓本体をハウジング本体の底部に固定したときは、ハウジング本体の底部の底面から前記水栓本体固定用のねじの先端部が突出した状態になるよう構成されている洗濯機用パンであって、 洗濯機が載置される底部の上面に、前記水道用コンセントを収容する枠部材を係止可能に設け、
ハウジング本体の底部の底面が当接する上面を有する架台が、洗濯機が載置される底部の上面に、前記水栓本体固定用のねじの先端部の突出量よりも大きく設定された高さを有する状態で設けられている。
【０００５】
また、この発明は別の観点から、洗濯機が載置される平面視略矩形の底部とこの底部の周縁から上方に連設された周縁部を有し、床面に配置されるとともに、前記底部の一つの角に水用の水道用コンセントを着脱自在に設けてあり、この水道用コンセントに設けた配管接続用の継手、または、この配管接続用の継手に接続される配管が挿通可能な穴を前記底部に有し、
更に、前記水道用コンセントは、
水の流入口、水の流出口、水の流量を調整するための弁体および前記水流入口に連通する前記配管接続用の継手を有する水栓本体と、
この水栓本体が着脱自在に収容されるための上面開口を有する有底の箱状のハウジング本体と、
水の流量を調整するための流量調整ハンドルと、
洗濯機の給水ホースの上流端に設けられた継手部材が着脱自在である接続部と、
前記上面開口を覆うよう前記ハウジング本体に着脱自在に装着される化粧カバーとを有するとともに、
前記ハウジング本体は、その底部に水栓本体固定用のねじ孔を有する一方、前記水栓本体は、前記水栓本体固定用のねじ孔に対応する位置にねじ挿通孔を有し、このねじ挿通孔を介して前記水栓本体固定用のねじを前記水栓本体固定用のねじ孔に螺合して水栓本体をハウジング本体の底部に固定したときは、ハウジング本体の底部の底面から前記水栓本体固定用のねじの先端部が突出した状態になるよう構成されている洗濯機用パンであって、 洗濯機が載置される底部の上面に、前記水道用コンセントを収容する枠部材を係止可能に設け、
ハウジング本体の底部の底面が当接する上面を有する架台が、洗濯機が載置される底部の上面に、前記水栓本体固定用のねじの先端部の突出量よりも大きく設定された高さを有する状態で設けられていることを特徴とする洗濯機用パンを提供する。
【０００６】
この発明において、洗濯機用パンの底部が平面視略矩形とは以下のことを意味する。すなわち、底部２の四つの角が、それぞれ直角に交わった辺Ｌ，Ｍで構成される図２に示すような平面視長方形の場合のみならず、図示はしないが、底部２の四つの角が、アールを描いたり、あるいは、面取りされた形状をも含む。
【０００７】
【発明の実施の形態】
以下にこの発明の実施の形態について説明する。なお、この発明はそれによって限定されるものではない。
【０００８】
図１〜図６は、洗濯機が載置される平面視略矩形の底部の一つの角における上面に、混合湯水を洗濯機に供給できる湯水用の水道用コンセントを着脱自在に設け、この湯水用の水道用コンセントに設けた配管接続用の継手が挿通可能な挿通穴を前記底部に有するように構成したこの発明の第１の実施形態を示す。
【０００９】
図１〜図６おいて、１は、例えば合成樹脂製の洗濯機用パンで、洗濯機が載置される平面視長方形の底部２と、この底部２の周縁から上方に連設された周縁部３を有する。底部２と周縁部３は一体に形成されている。そして、洗濯機用パン１が置かれる床面Ｆに底部２が当接する。
【００１０】
周縁部３は、底部２の周縁ａから垂直に上方向へ連設された内板部分５、この内板部分５の端部ｂから水平方向に外方側に連設された上板部分６およびこの上板部分６の端部ｃから垂直に下方向に連設された外板部分７からなる。周縁部３は、床面Ｆによって閉塞される下方開口４を有する。
【００１１】
８は、混合湯水または水を洗濯機の給水ホースに供給できる構成を持つ湯水用の水道用コンセントである。そして、底部２の一つの角１００における上面２ａに湯水用の水道用コンセント８を着脱自在に設けてある。
【００１２】
以下、湯水用の水道用コンセント８について説明する。
【００１３】
湯水用の水道用コンセント８は、水栓本体９と、この水栓本体９が平面視長方形の上面開口１０ａを介して着脱自在に収容されるハウジング本体１０と、水の取入口１５から流入した水と湯の取入口（図示せず）から流入した湯が混合されてなる混合湯水の温度を調整するための温度調整ハンドル１１と、温度を調整された混合湯水の流量を調整するための流量調整ハンドル１２と、洗濯機の給水ホースの上流端に設けられた継手部材（図示せず）が着脱自在であるホース接続部３００と、ハウジング本体１０の前記上面開口１０ａを覆うよう前記ハウジング本体１０に着脱自在に装着される化粧カバー１３とを主として有する。化粧カバー１３は、ハウジング本体１０に装着される枠部１３ａと、この枠部１３ａに形成されている嵌め込み開口Ｓに着脱自在に嵌め込まれる化粧部１３ｂとよりなる。
【００１４】
水栓本体９は、温度調整機能ならびに配管接続機能を有する上流部９ａと、流量調整機能を有する下流部９ｂよりなる。上流部９ａと下流部９ｂは、左右一対のねじ１４で接続されている。
【００１５】
更に、上流部９ａは、混合湯水の温度を調整する部材としてのセラミック製ミキシングカートリッジ１６（特願２０００−０７６９１２号明細書、図面参照）と、前記水の取入口１５に連通する水用継手１７（水側の配管接続用継手）と、前記湯の取入口に連通する湯用継手（湯側の配管接続用継手）（図示せず）とを有する。
【００１６】
１６ａは、前記ミキシングカートリッジ１６を収容するケース体で、上流部９ａの温度調整室１８内において取り替え自在に装着されている。そして、ケース体６ａに前記水の取入口１５と前記湯の取入口が形成されている。
【００１７】
セラミック製ミキシングカートリッジ１６は、前記湯の取入口および水の取入口１５の下流側に、ディスク状セラミック製固定弁体が位置するとともに、この固定弁体の下流面を回動自在に摺動するディスク状セラミック製可動弁体を有する。そして、温度調整ハンドル１１に固着された弁棒１９が前記可動弁体の下流面に係合している。これにより、温度調整ハンドル１１の回転により湯水の混合比率を変化させることができる。
【００１８】
一方、下流部９ｂは、セラミック製ミキシングカートリッジ１６の前記固定弁体および可動弁体によって形成される水流路を通ってきた水、または、セラミック製ミキシングカートリッジ１６によって温度調整された混合湯水の流路ｉと、この流路ｉ内の水または混合湯水の流量を調整するための弁体（図示せず）と、流量調整された水または混合湯水の流出口２０とを有する。２１は、前記弁体を収容しているケースである。２２は、前記弁体を開位置または閉位置に移動させるための弁棒であり、１２ａは、流量調整ハンドル１２に固着された弁棒である。
【００１９】
また、ハウジング本体１０は、水栓本体９が収容されるための前記上面開口１０ａを有する有底の箱状で、平面視長方形の底部２６と、四つの側面部２７，２８，２９，３０で構成される。底部２６は、水栓本体９固定用の一対のねじ孔３１，３１を有する一方、水栓本体９の上流部９ａは、上端における前記ねじ孔３１，３１に対応する位置にねじ挿通孔３２，３２を有する。３３，３３は、水栓本体９固定用のねじである。そして、ねじ挿通孔３２を介してねじ３３をねじ孔３１に螺合し、水栓本体９を底部２６に固定したときは、底部２６の底面２６ａからねじ３３の先端部が突出した状態になる。よって、ねじ３３をねじ孔３１から外すだけで水栓本体９をハウジング本体１０から容易に取り外すことができる。
【００２０】
更に、前記底部２６は、水栓本体９の上流部９ａに設けた前記水用継手１７が挿通可能な挿通穴３５を有するとともに、水栓本体９の上流部９ａに設けたと前記湯用継手が挿通可能な挿通穴３６を有する。
【００２１】
また、前記底部２６は、水栓本体９の下流部９ｂにおける流量調整ハンドル１２に対応する背面Ｍに当接する受け３７を有する一方、ハウジング本体１０は、長ねじ３８をまわすことにより上下にスライド可能で上下位置を調整できるスライド部材３９を左右に有する。３９ａは、スライド部材３９に設けたねじ孔で、長ねじ３８が螺合する。４０は、底部２６に設けた凹みで、底部２６の底面２６ａから突出している。この突出量は、ねじ３３の先端部の突出量よりも小さい。前記凹み４０は、長ねじ３８の先端に当接している。
【００２２】
４１は、底部２６に形成された左右一対の長孔である。また、４２は、丸孔である。そして、ハウジング本体１０は、化粧カバー１３の枠部１３ａの内面に設けたねじ挿入孔部４４に対応する位置にねじ孔４３が形成された舌片４５を有すし、前記上面開口１０ａから枠部１３ａをハウジング本体１０に嵌め込み、ねじ挿入孔部４４を介してねじ４６をねじ孔４３に螺合することにより枠部１３ａをハウジング本体１０に固定できる。
【００２３】
以下、この発明の特徴的構成について説明する。
【００２４】
５０は、底部２の上面２ａに設けた前記湯水用の水道用コンセント８を収容する箱状の枠部材で、ハウジング本体１０の平面視長方形の上面開口１０ａに対応する平面視形状を有する上方開口５１が形成された上板部分５２を備えている。また、枠部材５０は、上面開口１０ａよりも大きな下方開口５３を有する。
【００２５】
そして、枠部材５０は、底部２の上面２ａに係止される。この係止手段は、枠部材５０の対向する一側面部５０ａ，５０ｂの内面にそれぞれ設けた二組の係止溝５４，５４と、係止溝５４，５４に嵌まり込む係合爪５５，５５とより構成される。係合爪５５は、湯水用水道コンセント８が設置される底部２の一つの角１００における上面２ａに、前記係止溝５４に係合するよう底部２と一体に設けられている。
【００２６】
５６は、水栓本体９の上流部９ａに設けた水用継手１７（水側の配管接続用継手）が挿通可能な挿通穴で、底部２に穿設されている。また、５７は、水栓本体９の上流部９ａに設けた湯用継手（水側の配管接続用継手）が挿通可能な挿通穴で、底部２に穿設されている。
【００２７】
また、底部２の上面２ａからハウジング本体１０の底面２６ａを浮かす手段として、一対の平面視矩形の架台５８，５８が、湯水用の水道用コンセント８が設置される底部２の一つの角１００における上面２ａに設けられている。この架台５８，５８の上面にハウジング本体１０の底部２６の底面２６ａが当接する。架台５８の高さは、底部２６の底面２６ａから突出しているねじ３３の先端部の突出量よりも大きく設定されている。架台５８が無ければ、ハウジング本体１０を直接底部２の上面２ａに置くと、ねじ３３の先端部が突出していることから、ハウジング本体１０が不安定なまま上面２ａに載置されることになるからである。
【００２８】
また、洗濯機用パン１は、枠部材５０に収容されたハウジング本体１０を、架台５８，５８を介して底部２に固定する固定手段を有する。この固定手段は、係止溝５４と、係合爪５５と、スライド部材３９と、長ねじ３８と、凹み４０と、スライド部材３９が当接する上板部分５２とから構成される。
【００２９】
すなわち、係止溝５４に係合爪５５を係合させることにより、架台５８，５８を介して底部２の上面２ａに予め設置しておいたハウジング本体１０を覆うように枠部材５０は固定設置される。そして、予め枠部材５０の高さよりも低い高さに位置していたスライド部材３９を、長ねじ３８をまわすことにより上方向に、かつ、上板部分５２の下面に当接するまで移動させる。このスライド部材３９の上板部分５２下面への押圧により長ねじ３８の先端が凹み４０を押してハウジング本体１０の底部２６が架台５８，５８を押圧することになる。これにより、ハウジング本体１０を、架台５８，５８を介して底部２に固定できる。
【００３０】
なお、６０は、水用継手１７（水側の配管接続用継手）の外周面と挿通穴３５の内周面間に嵌め込まれたＵパッキンで、底部２内の水あるいは湯水が床面Ｆにリークするのを防止する。
【００３１】
而して、ねじ３３をねじ孔３１から外すだけで水栓本体９をハウジング本体１０から取り外すことができることから、配管接続作業や水栓本体９のメンテナンスを容易に行うことができる。
【００３２】
図７〜図９は、ハウジング本体１０の底部２６に形成された左右一対の長孔４１，４１を利用してハウジング本体１０を底部２に固定するように構成した参考例を示す。なお、図７〜図９おいて、図１〜図６に示した符号と同一のものは、同一または相当物である。
【００３３】
図７〜図９おいて、７０は、底部２における長孔４１，４１に対応する位置に穿設されたねじ孔部である。７１は、長孔４１，４１を挿通してねじ孔部７０に螺合するねじである。前記ねじ孔部７０の上面２ａからの高さは、架台５８の高さと同一である。
【００３４】
そして、ハウジング本体１０を底部２に固定する固定手段は、ハウジング本体１０の底部２６に形成された左右一対の長孔４１，４１と、底部２における長孔４１，４１に対応する位置に穿設されたねじ孔部７０，７０と、長孔４１，４１を挿通してねじ孔部７０に螺合するねじ７１，７１とから構成される。また、底部２の上面２ａからハウジング本体１０の底面２６を浮かす手段は、一対の平面視矩形の架台５８，５８で構成される。
【００３５】
而して、ねじ３３をねじ孔３１から外すだけで水栓本体９をハウジング本体１０から取り外すことができるとともに、ねじ７１，７１をねじ孔部７０，７０から外すだけでハウジング本体１０を底部２の上面２ａから取り外すことができることから、配管接続作業や水栓本体９のメンテナンスを容易に行うことができる。
【００３６】
図１０〜図１２は、洗濯機が載置される平面視略矩形の底部の一つの角における上面に、混合湯水を洗濯機に供給できる湯水用の水道用コンセントを着脱自在に設け、この湯水用の水道用コンセントに設けた配管接続用の継手に接続される配管が挿通可能な挿通穴を前記底部に有するように構成したこの発明の第２の実施形態を示す。なお、図１０〜図１２おいて、図１〜図９に示した符号と同一のものは、同一または相当物である。
【００３７】
図１０〜図１２において、７５は、底部２の上面２ａから所定長さだけ凹んだ凹所である。この凹所７５の底部分７５ａには、前記挿通穴５６，５７に対応する位置に、水栓本体９の上流部９ａに設けた水用継手１７（水側の配管接続用継手）に接続される水用配管７６が挿通可能な挿通穴７７と、水栓本体９の上流部９ａに設けた湯用継手（水側の配管接続用継手）に接続される湯用配管（図示せず）が挿通可能な挿通穴７８とが穿設されている。水用配管７６、湯用配管としては、樹脂パイプを挙げることができる。
【００３８】
７９は、水用配管７６と水用継手１７を接続するナットである。また、湯用配管と湯用継手も前記ナット７９と同一のものが使用される。
【００３９】
８０は、底部２内の水あるいは湯水が床面Ｆにリークするのを防止する額縁型のパッキンである。このパッキン８０は、枠部材５０の下方開口５３を形成する下端面部分８１を載置できる程度の幅を有し、底部２の上面２ａに載置され、下端面部分８１で上面２ａに押しつけられる。そして、パッキン８０の一辺９０は、底部２の上面２ａで、内板部分５（図１０参照）の内面および係合爪５５，５５間の隙間に位置し、また、この係合爪５５，５５に対向する係合爪５５，５５の外側に、前記一辺９０に対向する辺９１が位置し、また、他の辺９２は、架台５８および内板部分５間の隙間に位置し、また、残りの辺９３は、凹所７５の外側に位置する。
【００４０】
なお、この発明では、底部２の上面２ａからハウジング本体１０の底面２６ａを浮かす手段として、一対の平面視矩形の架台５８，５８を設けている。この架台５８の高さは、周縁部３の上板部分６の上面６ａと、化粧カバー１３の枠部１３ａの上部２００の上面１３ｃとが面一ではなく、上部２００が上板部分６より突出した状態で化粧カバー１３が取り付けできるように予め設定されている。上面１３ｃを上部２００の高さ分だけ高くすることで見栄えがするからである。
【００４１】
図１３は、底部２の一つの角に着脱自在に設けられる水道用コンセントとしての水用の水道用コンセント８’を示す。なお、図１３において、図１〜図１２に示した符号と同一のものは、同一または相当物である。
【００４２】
水用の水道用コンセント８’は、水栓本体９と、この水栓本体９が平面視長方形の上面開口１０ａを介して着脱自在に収容されるハウジング本体１０と、水の流量を調整するための流量調整ハンドル１２と、洗濯機の給水ホースの上流端に設けられた継手部材（図示せず）が着脱自在であるホース接続部３００と、ハウジング本体１０の前記上面開口１０ａを覆うよう前記ハウジング本体１０に着脱自在に装着される化粧カバー１３とを主として有する。
【００４３】
化粧カバー１３は、ハウジング本体１０に装着される枠部１３ａと、この枠部１３ａに形成されている嵌め込み開口Ｓに着脱自在に嵌め込まれる化粧部１３ｂとよりなる。
【００４４】
水栓本体９は、配管接続機能を有する上流部９ａと、流量調整機能を有する下流部９ｂよりなる。
【００４５】
上流部９ａは、水の流入口１５’に連通する水用継手１７’（水側の配管接続用継手）を有する一方、前記底部２６は、水栓本体９の上流部９ａの前記水用継手１７’が挿通可能な挿通穴３５を有する。
【００４６】
【発明の効果】
以上説明したようにこの発明は、給水および／または給湯機構のメンテナンスを容易に行える洗濯機用パンを提供することができる。
【図面の簡単な説明】
【図１】  この発明の第１の実施形態を示す分解斜視図である。
【図２】  上記実施形態における平面図である。
【図３】  上記実施形態における構成説明図である。
【図４】  上記実施形態における要部構成説明図である。
【図５】  上記実施形態で用いた湯水用の水道用コンセントにおける化粧カバーを外したときの正面図である。
【図６】  上記実施形態で用いた湯水用の水道用コンセントにおけるハウジング本体を示す正面図である。
【図７】  参考例を示す分解斜視図である。
【図８】  上記参考例における構成説明図である。
【図９】  上記参考例における要部構成説明図である。
【図１０】  この発明の第２の実施形態を示す分解斜視図である。
【図１１】  上記第２の実施形態における構成説明図である。
【図１２】  上記第２の実施形態における要部構成説明図である。
【図１３】  この発明で用いた水用の水道用コンセントを示す構成説明図である。
【符号の説明】
１…洗濯機用パン、２…底部、２ａ…上面、８…水道用コンセント、９…水栓本体、１０…ハウジング本体、１０ａ…上面開口、１１…温度調整ハンドル、１２…流量調整ハンドル、、１３…化粧カバー、１５…水の取入口、１６…混合湯水の温度を調整する部材、１７…配管接続用の継手、２０…流出口、２６…ハウジング本体の底部、２６ａ…ハウジング本体の底部の底面、３１，３１…水栓本体固定用のねじ孔、３２，３２…ねじ挿通孔、３３，３３…水栓本体固定用のねじ、５０…枠部材、５６，５７、７７，７８…穴、５８…架台、７６…配管、３００…接続部、ｉ…水または混合湯水の流路、Ｆ…床面。
【図１】
0004041694.tif 000002
【図２】
0004041694.tif 000003
【図３】
0004041694.tif 000004
【図４】
0004041694.tif 000005
【図５】
0004041694.tif 000006
【図６】
0004041694.tif 000007
【図７】
0004041694.tif 000008
【図８】
0004041694.tif 000009
【図９】
0004041694.tif 000010
【図１０】
0004041694.tif 000011
【図１１】
0004041694.tif 000012
【図１２】
0004041694.tif 000013
【図１３】
0004041694.tif 000014